(57)【要約】【課題】通信の安定性を確保しつつシステム全体の消費電力を低減させる。【解決手段】マスタ基地局１０は、スレーブ基地局２０のリソース使用状態及び稼動状態を１５秒ごとに監視して１日分の状態管理テーブルに記録し、基地局使用状態管理データベース１０１に最新の４週間分を格納する。それとともに、マスタ基地局１０は、状態管理テーブルのリソース状態値及び稼動状態値を、各曜日に対応させて集計した７個の集計テーブルを作成して基地局使用状態管理データベース１０１に格納する。ここで、マスタ基地局１０は、監視結果を状態管理テーブルに記録する際に、該当する曜日に対応した集計テーブルを参照し、集計データに基づいてスレーブ基地局２０の運行制御を行い、電源部２３を電源オン状態から電源オフ状態に移行させる制御を行った場合には、その結果を反映したデータで状態管理テーブル及び集計テーブルを作成又は更新する。【選択図】図１
2010178039.tif 000002
【特許請求の範囲】
【請求項１】
マスタ通信装置と、このマスタ通信装置によって制御される１つ又は複数のスレーブ通信装置とを備えた通信システムにおいて、
前記マスタ通信装置は、
一定周期で収集された、前記１つ又は複数のスレーブ通信装置についてのリソースの使用状態を示すリソース状態値と該スレーブ通信装置の稼動状態を示す稼動状態値とを、前記一定周期よりも時間の長い管理期間ごとに、それぞれ統計データを算出して集計した集計テーブルを格納する格納手段と、
前記一定周期と同一の周期で、前記１つ又は複数のスレーブ通信装置に対して前記リソース状態値及び前記稼動状態値を要求し、この要求に応じて前記１つ又は複数のスレーブ通信装置から供給された前記リソース状態値及び前記稼動状態値を取得する取得手段と、
前記取得手段により取得された稼動状態値が運用状態を示す値であって、且つ前記取得手段により取得されたリソース状態値が非使用状態を示す値である場合に、前記格納手段に格納された集計テーブルにおける、前記リソース状態値及び前記稼動状態値が取得された時刻を含む所定の選定期間分の統計データを参照して解析する解析手段と、
前記解析手段の解析により、前記参照された統計データのうち、全ての稼動状態値が第１レベルよりも低く、且つ全てのリソース状態値が第２レベルよりも低いと判定された場合に、前記解析手段の解析の対象装置であるスレーブ通信装置の稼動状態を運用状態から休止状態に移行させるための通知データを生成して、前記スレーブ通信装置に対して通知する通知手段と、
前記格納手段に格納された集計テーブルの、前記リソース状態値及び前記稼動状態値を取得した時刻と同時刻の統計データを、前記スレーブ通信装置の稼動状態が休止状態になる稼動状態値に基づき更新する更新手段と、
を備え、
前記１つ又は複数のスレーブ通信装置は、
前記マスタ通信装置の取得手段から要求された前記リソース状態値及び前記稼動状態値の要求に応じて、リソースの使用状態をリソース状態値とし、及び該スレーブ通信装置の稼動状態を稼動状態値として前記取得手段に供給する供給手段と、
前記マスタ通信装置の通知手段から通知された通知データを受信して、該スレーブ通信装置の稼動状態を運用状態から休止状態に移行するよう制御する制御手段と、
を備えたことを特徴とする通信システム。
【請求項２】
１つ又は複数のスレーブ通信装置を制御対象とするマスタ側の通信装置において、
一定周期で収集された、前記１つ又は複数のスレーブ通信装置についてのリソースの使用状態を示すリソース状態値と該スレーブ通信装置の稼動状態を示す稼動状態値とを、前記一定周期よりも時間の長い管理期間ごとに、それぞれ統計データを算出して集計した集計テーブルを格納する格納手段と、
前記一定周期と同一の周期で、前記１つ又は複数のスレーブ通信装置に対して前記リソース状態値及び前記稼動状態値を要求し、この要求に応じて前記１つ又は複数のスレーブ通信装置から供給された前記リソース状態値及び前記稼動状態値を取得する取得手段と、
前記取得手段により取得された稼動状態値が運用状態を示す値であって、且つ前記取得手段により取得されたリソース状態値が非使用状態を示す値である場合に、前記格納手段に格納された集計テーブルにおける、前記リソース状態値及び前記稼動状態値が取得された時刻を含む所定の選定期間分の統計データを参照して解析する解析手段と、
前記解析手段の解析により、前記参照された統計データのうち、全ての稼動状態値が第１レベルよりも低く、且つ全てのリソース状態値が第２レベルよりも低いと判定された場合に、前記解析手段の解析の対象装置であるスレーブ通信装置の稼動状態を運用状態から休止状態に移行させるための通知データを生成して、前記スレーブ通信装置に対して通知する通知手段と、
前記格納手段に格納された集計テーブルの、前記リソース状態値及び前記稼動状態値を取得した時刻と同時刻の統計データを、前記スレーブ通信装置の稼動状態が休止状態になる稼動状態値に基づき更新する更新手段と、
を備えたことを特徴とする通信装置。
【請求項３】
マスタ通信装置から１つ又は複数のスレーブ通信装置を制御する通信装置制御方法において、
前記マスタ通信装置が、一定周期で、前記１つ又は複数のスレーブ通信装置に対してリソースの使用状態を示すリソース状態値と該スレーブ通信装置の稼動状態を示す稼動状態値とを要求する要求ステップと、
前記１つ又は複数のスレーブ通信装置が、前記要求ステップによる要求を受信して、該スレーブ通信装置のリソース状態値及び稼動状態値を前記マスタ通信装置に応答する応答ステップと、
前記マスタ通信装置が、前記応答ステップにより応答されたリソース状態値及び稼動状態値を受信し、この稼動状態値が運用状態を示す値であって且つ前記リソース状態値が非使用状態を示す値である場合に、予め、前記一定周期と同一の周期で収集された、前記１つ又は複数のスレーブ通信装置についてのリソース状態値及び稼動状態値に基づき、前記一定周期よりも時間の長い管理期間ごとに、各統計データが算出されて集計された集計テーブルが格納された格納手段に格納された集計テーブルにおける、前記リソース状態値及び前記稼動状態値が受信された時刻を含む所定の選定期間分の統計データを参照して解析する解析ステップと、
前記解析ステップによる解析により、前記参照された統計データのうち、全ての稼動状態値が第１レベルよりも低く、且つ全てのリソース状態値が第２レベルよりも低いと判定された場合に、前記マスタ通信装置が、前記解析ステップにおける解析の対象装置であるスレーブ通信装置の稼動状態を運用状態から休止状態に移行させるための通知データを生成して、前記スレーブ通信装置に対して通知する通知ステップと、
前記マスタ通信装置が、前記格納手段に格納された集計テーブルの、前記リソース状態値及び前記稼動状態値を取得した時刻と同時刻の統計データを、前記スレーブ通信装置の稼動状態が休止状態になる稼動状態値に基づき更新する更新ステップと、
前記スレーブ通信装置が、前記通知ステップにより通知された通知データを受信して、該スレーブ通信装置の稼動状態を運用状態から休止状態に移行するよう制御する制御ステップと、
を有したことを特徴とする通信装置制御方法。
【発明の詳細な説明】
【技術分野】
【０００１】
本発明は、通信システム、通信装置、及び通信装置制御方法に係り、特に、マスタ・スレーブ構成の通信システムにおけるマスタ側の通信装置からスレーブ側の通信装置の制御技術に関するものである。
【背景技術】
【０００２】
マスタ基地局と複数のスレーブ基地局とで構成されるグループ基地局において、通信のトラフィックに応じてスレーブ基地局の電力消費を低減させるための技術が知られている（例えば、特許文献１参照）。
【先行技術文献】
【特許文献】
【０００３】
【特許文献１】特開２００５−３５４５４９号公報
【発明の概要】
【発明が解決しようとする課題】
【０００４】
しかしながら、特許文献１記載のグループ基地局においては、スレーブ基地局の現時点における通信リソースの使用状態のみに応じて運用状態又は休止状態への移行を制御するため、通信リソースの使用状態が頻繁に増減する場合に、スレーブ基地局の運用動作及び休止動作の切替えが繰返されるおそれがある。また、短時間に急激なトラフィックの増加が発生する時点では、スレーブ基地局を運用状態へ移行するときに通信回線が不足して通信不能になるおそれがある。
【０００５】
そこで、本発明は上記の問題に鑑みてなされたものであり、通信リソースの使用状態の変動でスレーブ基地局の運用状態又は休止状態への移行を制御した際に発生する、頻繁な運用動作及び休止動作の切替えの繰返しの発生や、スレーブ基地局の停止状態から運用状態への移行期間中に通信回線が不足することを抑制し、且つ通信システム全体の消費電力を低減することのできる、通信システム、通信装置、及び通信装置制御方法を提供することを目的とする。
【課題を解決するための手段】
【０００６】
本発明は、上記の課題を解決するために、以下［１］−［３］の手段を提供するものである。
［１］  マスタ通信装置（１０）と、このマスタ通信装置によって制御される１つ又は複数のスレーブ通信装置（２０−１〜２０−ｎ）とを備えた通信システムにおいて、
前記マスタ通信装置は、
一定周期（Ｔ）で収集された、前記１つ又は複数のスレーブ通信装置についてのリソースの使用状態を示すリソース状態値と該スレーブ通信装置の稼動状態を示す稼動状態値とを、前記一定周期よりも時間の長い管理期間（ＢＴ）ごとに、それぞれ統計データを算出して集計した集計テーブル（ＳＴＢＬ）を格納する格納手段（１０１）と、
前記一定周期と同一の周期で、前記１つ又は複数のスレーブ通信装置に対して前記リソース状態値及び前記稼動状態値を要求し、この要求に応じて前記１つ又は複数のスレーブ通信装置から供給された前記リソース状態値及び前記稼動状態値を取得する取得手段（１２，１０２）と、
前記取得手段により取得された稼動状態値が運用状態を示す値であって、且つ前記取得手段により取得されたリソース状態値が非使用状態を示す値である場合に、前記格納手段に格納された集計テーブルにおける、前記リソース状態値及び前記稼動状態値が取得された時刻を含む所定の選定期間（ＳＰ）分の統計データを参照して解析する解析手段（１０２，１０３）と、
前記解析手段の解析により、前記参照された統計データのうち、全ての稼動状態値が第１レベルよりも低く、且つ全てのリソース状態値が第２レベルよりも低いと判定された場合に、前記解析手段の解析の対象装置であるスレーブ通信装置の稼動状態を運用状態から休止状態に移行させるための通知データを生成して、前記スレーブ通信装置に対して通知する通知手段（１２，１０４）と、
前記格納手段に格納された集計テーブルの、前記リソース状態値及び前記稼動状態値を取得した時刻と同時刻の統計データを、前記スレーブ通信装置の稼動状態が休止状態になる稼動状態値に基づき更新する更新手段（１０１，１０２）と、
を備え、
前記１つ又は複数のスレーブ通信装置は、
前記マスタ通信装置の取得手段から要求された前記リソース状態値及び前記稼動状態値の要求に応じて、リソースの使用状態をリソース状態値とし、及び該スレーブ通信装置の稼動状態を稼動状態値として前記取得手段に供給する供給手段（２１，２２，２３）と、
前記マスタ通信装置の通知手段から通知された通知データを受信して、該スレーブ通信装置の稼動状態を運用状態から休止状態に移行するよう制御する制御手段（２２）と、
を備えたことを特徴とする通信システム。
［２］  １つ又は複数のスレーブ通信装置（２０−１〜２０−ｎ）を制御対象とするマスタ側の通信装置において、
一定周期（Ｔ）で収集された、前記１つ又は複数のスレーブ通信装置についてのリソースの使用状態を示すリソース状態値と該スレーブ通信装置の稼動状態を示す稼動状態値とを、前記一定周期よりも時間の長い管理期間（ＢＴ）ごとに、それぞれ統計データを算出して集計した集計テーブル（ＳＴＢＬ）を格納する格納手段（１０１）と、
前記一定周期と同一の周期で、前記１つ又は複数のスレーブ通信装置に対して前記リソース状態値及び前記稼動状態値を要求し、この要求に応じて前記１つ又は複数のスレーブ通信装置から供給された前記リソース状態値及び前記稼動状態値を取得する取得手段（１２，１０２）と、
前記取得手段により取得された稼動状態値が運用状態を示す値であって、且つ前記取得手段により取得されたリソース状態値が非使用状態を示す値である場合に、前記格納手段に格納された集計テーブルにおける、前記リソース状態値及び前記稼動状態値が取得された時刻を含む所定の選定期間（ＳＰ）分の統計データを参照して解析する解析手段（１０２，１０３）と、
前記解析手段の解析により、前記参照された統計データのうち、全ての稼動状態値が第１レベルよりも低く、且つ全てのリソース状態値が第２レベルよりも低いと判定された場合に、前記解析手段の解析の対象装置であるスレーブ通信装置の稼動状態を運用状態から休止状態に移行させるための通知データを生成して、前記スレーブ通信装置に対して通知する通知手段（１２，１０４）と、
前記格納手段に格納された集計テーブルの、前記リソース状態値及び前記稼動状態値を取得した時刻と同時刻の統計データを、前記スレーブ通信装置の稼動状態が休止状態になる稼動状態値に基づき更新する更新手段（１０１，１０２）と、
を備えたことを特徴とする通信装置。
［３］  マスタ通信装置（１０）から１つ又は複数のスレーブ通信装置（２０−１〜２０−ｎ）を制御する通信装置制御方法において、
前記マスタ通信装置が、一定周期（Ｔ）で、前記１つ又は複数のスレーブ通信装置に対してリソースの使用状態を示すリソース状態値と該スレーブ通信装置の稼動状態を示す稼動状態値とを要求する要求ステップ（Ｓ６０１）と、
前記１つ又は複数のスレーブ通信装置が、前記要求ステップによる要求を受信して、該スレーブ通信装置のリソース状態値及び稼動状態値を前記マスタ通信装置に応答する応答ステップ（Ｓ６２１，Ｓ６２２）と、
前記マスタ通信装置が、前記応答ステップにより応答されたリソース状態値及び稼動状態値を受信し、この稼動状態値が運用状態を示す値であって且つ前記リソース状態値が非使用状態を示す値である場合に、予め、前記一定周期と同一の周期で収集された、前記１つ又は複数のスレーブ通信装置についてのリソース状態値及び稼動状態値に基づき、前記一定周期よりも時間の長い管理期間（ＢＴ）ごとに、各統計データが算出されて集計された集計テーブル（ＳＴＢＬ）が格納された格納手段（１０１）に格納された集計テーブルにおける、前記リソース状態値及び前記稼動状態値が受信された時刻を含む所定の選定期間（ＳＰ）分の統計データを参照して解析する解析ステップ（Ｓ６０３，Ｓ６０４）と、
前記解析ステップによる解析により、前記参照された統計データのうち、全ての稼動状態値が第１レベルよりも低く、且つ全てのリソース状態値が第２レベルよりも低いと判定された場合に、前記マスタ通信装置が、前記解析ステップにおける解析の対象装置であるスレーブ通信装置の稼動状態を運用状態から休止状態に移行させるための通知データを生成して、前記スレーブ通信装置に対して通知する通知ステップ（Ｓ６０６，Ｓ６０７）と、
前記マスタ通信装置が、前記格納手段に格納された集計テーブルの、前記リソース状態値及び前記稼動状態値を取得した時刻と同時刻の統計データを、前記スレーブ通信装置の稼動状態が休止状態になる稼動状態値に基づき更新する更新ステップ（Ｓ６０８）と、
前記スレーブ通信装置が、前記通知ステップにより通知された通知データを受信して、該スレーブ通信装置の稼動状態を運用状態から休止状態に移行するよう制御する制御ステップ（Ｓ６２３，Ｓ６２４）と、
を有したことを特徴とする通信装置制御方法。
【発明の効果】
【０００７】
本発明によれば、頻繁な運用動作及び休止動作の切替えの繰返しの発生や、スレーブ基地局の停止状態から運用状態への移行期間中に通信回線が不足することを抑制し、且つ通信システム全体の消費電力を低減することができる。
【図面の簡単な説明】
【０００８】
【図１】本発明の実施形態である通信システムを適用した携帯電話基地局システムの概略構成図である。
【図２】マスタ基地局が作成する状態管理テーブルの例である。
【図３】マスタ基地局が記録する状態管理テーブルと、作成する集計テーブルとの関係を模式的に示した図である。
【図４】マスタ基地局が作成する集計テーブルの詳細を示した例である。
【図５】マスタ基地局がスレーブ基地局を監視して運行制御を行う動作の概略を説明するためのフローチャートである。
【図６】マスタ基地局における監視・運行制御に係る処理と、これに対応するスレーブ基地局の処理とを説明するためのフローチャートである。
【発明を実施するための形態】
【０００９】
以下、本発明を実施するための形態について、図面を参照して詳細に説明する。図１に、本発明の実施形態である通信システムを適用した携帯電話基地局システムの概略構成図を示す。同図に示すように、携帯電話基地局システム１は、マスタ側の通信装置であるマスタ基地局１０と、スレーブ側の通信装置であるｎ個（ｎは１又は２以上の整数）のスレーブ基地局２０とを含んで構成されている。なお、本実施形態においては、説明の便宜上、携帯電話基地局システム１がマスタ基地局１０と、１つのスレーブ基地局２０とを含んで構成された場合について説明する。
【００１０】
マスタ基地局１０は、スレーブ基地局２０の運行を制御するスレーブ基地局制御部１１と、通信部１２とを備えている。スレーブ基地局２０は、通信部２１と、制御部２２と、電源部２３とを備えている。そして、マスタ基地局１０とスレーブ基地局２０との間の通信は、通信部１２と通信部２１との間で無線通信路を確立して行う。
【００１１】
マスタ基地局１０のスレーブ基地局制御部１１は、基地局使用状態管理データベース１０１と、基地局使用状態監視部１０２と、基地局使用選定部１０３と、通知生成部１０４とを備えている。基地局使用状態管理データベース１０１には、スレーブ基地局制御部１１が管理する、スレーブ基地局２０の状態管理テーブルと、後述する所定の規則により状態管理テーブルのデータから統計データを算出して集計した集計テーブルとが格納される。
【００１２】
さらに、基地局使用状態管理データベース１０１には、基地局使用状態監視部１０２がスレーブ基地局２０を監視する一定周期である監視周期Ｔと、１つの状態管理テーブルにおける最大記録期間である最大記録期間ＭＰと、集計テーブルを周期的に集計するための管理期間ＢＴと、データ記録の総期間である集計総期間ＴＰとのパラメータを予め格納している。なお、これらのパラメータは、基地局使用状態監視部１０２に予め設定されるものであってもよい。状態管理テーブル及び集計テーブルの各データ構成、並びにデータ集計の動作については後述する。
【００１３】
基地局使用状態監視部１０２は、監視周期Ｔの周期でスレーブ基地局２０のリソース使用状態と、装置の稼動状態とを監視し、監視結果を基地局使用状態管理データベース１０１の状態管理テーブルに記録させる。リソース使用状態とは、スレーブ基地局２０がリソースを使用している状態（リソース使用あり）、又は使用していない状態（リソース使用なし）のいずれかの状態をさす。装置の稼動状態とは、スレーブ基地局２０が運用状態となっているか、又は休止状態となっているかをさし、本実施形態では、運用状態を、電源部２３がオンになっている状態（電源オン状態）、そして、休止状態を、電源部２３がオフになっている状態（電源オフ状態）として説明する。
【００１４】
基地局使用選定部１０３は、基地局使用状態監視部１０２によるスレーブ基地局２０の監視結果（すなわち、スレーブ基地局２０の現在の状態）と、基地局使用状態管理データベース１０１に格納された集計テーブル（すなわち、スレーブ基地局２０の過去の運行実績）とに基づいて、電源オン状態から電源オフ状態へ移行させるべきスレーブ基地局２０を選定する。通知生成部１０４は、基地局使用選定部１０３の選定結果に応じて、スレーブ基地局２０を指定して電源オフ状態に移行させるための通知データを生成する。
【００１５】
スレーブ基地局２０の制御部２２は、マスタ基地局１０の基地局使用状態監視部１０２からの監視に応じて、自基地局のリソース使用状態と装置の稼動状態とを取得し、通信部２１からマスタ基地局１０に対して送信させる。また、制御部２２は、マスタ基地局１０から送信された通知データを通信部２１で受信して入力し、その通知データの内容に応じて自基地局を電源オフ状態に移行させる。電源部２３は、自基地局に電源を供給するものであり、制御部２２の制御によりオン／オフのいずれかの状態に設定される。
【００１６】
次に、携帯電話基地局システム１の動作について説明する。本実施形態では、基地局使用状態管理データベース１０１に予め格納されたパラメータについて、監視周期Ｔが１５秒、最大記録期間ＭＰが１日、管理期間ＢＴが１週間（７日間）、集計総期間ＴＰが４週間（２８日間）である場合について説明する。
【００１７】
まず、携帯電話基地局システム１の概略の動作について説明する。マスタ基地局１０は、スレーブ基地局２０のリソース使用状態及び装置の稼動状態を監視周期Ｔ＝１５秒ごとに監視して、その監視結果を最大記録期間ＭＰ＝１日分の状態管理テーブルに記録し、基地局使用状態管理データベース１０１に最新の集計総期間ＴＰ＝４週間分（２８日間分）を格納する。すなわち、基地局使用状態管理データベース１０１には、２８個の状態管理テーブルが格納されることになる。それとともに、マスタ基地局１０は、状態管理テーブルのリソース使用状態及び装置の稼動状態に係るデータを、管理期間ＢＴ＝１週間を構成する各曜日について集計することによって、各曜日に対応する７個の集計テーブルを作成して基地局使用状態管理データベース１０１に格納する。
【００１８】
ここで、マスタ基地局１０は、監視結果を状態管理テーブルに記録する際に、記録する日に該当する曜日に対応した集計テーブルを参照し、リソース使用状態及び装置の稼動状態それぞれの統計データに基づいてスレーブ基地局２０の運行制御を行い、電源部２３を電源オン状態から電源オフ状態に移行させる制御を行った場合には、その結果を反映したデータで状態管理テーブル及び集計テーブルを作成又は更新する。
【００１９】
すなわち、マスタ基地局１０は、最新の４週間分の状態管理テーブルに基づいて曜日ごとに集計した集計テーブルを管理し、この集計テーブルの統計データに基づいてスレーブ基地局２０の運行制御を行うため、特定の曜日でリソース使用状態が変動する傾向を反映してスレーブ基地局２０の稼動状態の制御を行うことができる。
【００２０】
図２に、マスタ基地局１０が作成する状態管理テーブルの例を示す。同図には、マスタ基地局１０が作成したスレーブ基地局２０−１の状態管理テーブルＴＢＬ１−１〜１−３及び状態管理テーブル１−７が示されている。各状態管理テーブルにおいて、「基地局ＩＤ」はスレーブ基地局の識別子であり、同図の例ではスレーブ基地局２０−１の識別子である「１」が記録されている。「年月日」は監視した日付を示す情報であり、状態管理テーブルごとに日付が異なっている。「時刻」は監視した時刻を示す情報であり、監視周期Ｔ＝１５秒間隔で監視されていることを示している。「リソース使用状態」はスレーブ基地局２０から取得したリソース使用状態を示すデータ（リソース状態値）が記録されている。このリソース使用状態値には、リソース使用あり／なし＝１／０が記録される。「稼動状態」はスレーブ基地局２０から取得した装置の稼動状態を示すデータ（稼動状態値）が記録されている。この稼動状態値には、電源オン状態／電源オフ状態＝１／０が記録される。
【００２１】
図３に、マスタ基地局１０が記録する状態管理テーブルと、作成する集計テーブルとの関係を模式的に示す。同図の左側には、マスタ基地局１０が作成した、スレーブ基地局２０−１の第１週目の状態管理テーブルＴＢＬ１−１〜１−７と、第２週目の状態管理テーブルＴＢＬ２−１〜２−７と、第３週目の状態管理テーブルＴＢＬ３−１〜３−７と、第４週目の状態管理テーブルＴＢＬ４−１〜４−７が示されている。そして、同図の右側には、第１週目から第４週目までの木曜日に該当する状態管理テーブルのデータから統計データを算出して集計した集計テーブルＳＴＢＬ１と、同様に各週の金曜日に該当する状態管理テーブルのデータから統計データを算出して集計した集計テーブルＳＴＢＬ２と、同様に各週の土曜日に該当する状態管理テーブルのデータから統計データを算出して集計した集計テーブルＳＴＢＬ３と、同様に各週の日曜日に該当する状態管理テーブルのデータから統計データを算出して集計した集計テーブルＳＴＢＬ４と、同様に各週の月曜日に該当する状態管理テーブルのデータから統計データを算出して集計した集計テーブルＳＴＢＬ５と、同様に各週の火曜日に該当する状態管理テーブルのデータから統計データを算出して集計した集計テーブルＳＴＢＬ６と、同様に各週の水曜日に該当する状態管理テーブルのデータから統計データを算出して集計した集計テーブルＳＴＢＬ７とが示されている。
【００２２】
次に、集計テーブルについてさらに詳細を説明する。図４に、木曜日に記録されたスレーブ基地局２０−１の状態管理テーブルＴＢＬ１−１，２−１，３−１，４−１のデータに基づいて、マスタ基地局１０が作成した集計テーブルＳＴＢＬ１を示す。同図に示すように、集計テーブルＳＴＢＬ１は、状態管理テーブルＴＢＬ１−１〜４−１の各時刻について、リソース使用状態に係るリソース状態値、及び稼動状態に係る稼動状態値それぞれから統計データを算出して集計し記録する。データの統計データの算出方法として、本実施形態ではデータの平均値をとるものとする。例えば、ＴＢＬ１−１〜４−１それぞれの時刻０：００：００におけるリソース状態値の平均値が、集計テーブルＳＴＢＬ１の時刻０：００：００におけるリソース状態値として記録される。
【００２３】
次に、マスタ基地局１０がスレーブ基地局２０を監視して運行制御を行う概略の動作について、図５のフローチャートを参照して説明する。マスタ基地局１０は、計数に係る引数である日数を初期化したのち（Ｓ５０１）、スレーブ基地局２０のリソース使用状態及び装置の稼動状態を監視し、その監視結果と、基地局使用状態管理データベース１０１に格納された集計テーブルとに基づいて、スレーブ基地局２０の運行制御を行う。そして、その制御結果で最大記録期間ＭＰ＝１日分の状態管理テーブルを作成又は更新し、その日に該当する曜日に対応した集計テーブルを作成又は更新する（Ｓ５０２）。マスタ基地局１０は、最新の、集計総期間ＴＰ＝４週間分の状態管理テーブルと、管理期間ＢＴ＝１週間分の集計テーブルとを基地局使用状態管理データベース１０１に格納する（Ｓ５０３→Ｓ５０１，Ｓ５０４→Ｓ５０２）。
【００２４】
次に、マスタ基地局１０におけるステップＳ５０２の処理と、この処理に対応するスレーブ基地局２０の処理との詳細を図６のフローチャートを併せ参照して説明する。マスタ基地局１０の基地局使用状態監視部１０２は、ステップＳ５０２の処理を開始すると、監視周期Ｔ＝１５秒の時間間隔で、スレーブ基地局２０のリソース使用状態及び装置の稼動状態の取得要求信号を、通信部１２からスレーブ基地局２０に対して送信させる（Ｓ６０１）。スレーブ基地局２０は、マスタ基地局１０から送信された取得要求信号を通信部２１で受信すると制御部２２に引渡す（Ｓ６２１）。次に、スレーブ基地局２０の制御部２２は、自基地局のリソース使用状態に係るリソース状態値と、装置の稼動状態に係る稼動状態値とを取得して通信部２１からマスタ基地局１０に対して送信させる（Ｓ６２２）。
【００２５】
マスタ基地局１０は、スレーブ基地局２０から送信されたリソース状態値及び稼動状態値を通信部１２で受信すると基地局使用状態監視部１０２に引渡す（Ｓ６０２）。次に、基地局使用状態監視部１０２は、引渡されたリソース状態値及び稼動状態値について、リソース状態値が０であり且つ稼動状態値が１である場合、すなわち運用状態であるがリソースが使用されていないと判定された場合はステップＳ６０４の処理に移行し、リソース状態値が１である場合、すなわちリソースが使用されていると判定された場合は、可動状態値にかかわらずステップＳ６０８の処理に移行する（Ｓ６０３）。
【００２６】
ステップＳ６０３の処理においてリソースが使用されていないと判定された場合（Ｓ６０３  Ｎｏ）、基地局使用状態監視部１０２は、基地局使用状態管理データベース１０１に格納された集計テーブルのうち、現在日に該当する曜日に対応した集計テーブルの、チェック時点での時刻を含む所定の選定期間ＳＰにおけるリソース状態値及び稼動状態値（統計データ）を参照抽出して基地局使用選定部１０３に引渡す（Ｓ６０４）。このステップＳ６０４の処理において選定期間ＳＰを設けた理由は、チェック時点での時刻ではリソース使用状態がリソース使用なしとなっていたとしても、その後すぐにリソース使用状態がリソース使用ありとなり、電源オン状態→電源オフ状態→電源オン状態の切替えが短時間に発生しないようにするためである。選定期間ＳＰは、基地局使用状態監視部１０２に予め設定されるデータであり、監視周期Ｔの倍数の値をとるものである。本実施形態では、選定期間ＳＰが４５秒であるとする。
【００２７】
参照結果を引渡された基地局使用選定部１０３は、全ての稼動状態値が稼動閾値ＴＨ１（第１レベル）よりも小さい場合で、且つ全てのリソース状態値がリソース閾値ＴＨ２（第２レベル）よりも小さい場合（結果１）には、当該スレーブ基地局２０は使用されない可能性が高いとみなされ、ステップＳ６０６の処理に移行する。一方、稼動閾値ＴＨ１以上の稼動状態値が１つでもあるか、又はリソース閾値ＴＨ２以上のリソース状態値が１つでもある場合（結果２）には、当該スレーブ基地局２０は使用される可能性が高いとみなされ、ステップＳ６０８の処理に移行する（Ｓ６０５）。稼動閾値ＴＨ１及びリソース閾値ＴＨ２は、基地局使用選定部１０３に予め設定されるデータであり、本実施形態では、稼動閾値ＴＨ１及びリソース閾値ＴＨ２ともに０．５であるとする。この場合、図４に示した集計テーブルＳＴＢＬ１の例においては、チェック時点が時刻＝２３：５９：００であるときの選定結果が結果１となり、チェック時点が時刻＝０：００：１５であるときの選定結果が結果２となる。
【００２８】
ステップＳ６０５の処理において選定結果が結果１となった場合（Ｓ６０５  結果１）、通知生成部１０４は、スレーブ基地局２０を指定して電源部２３を電源オン状態から電源オフ状態に移行させるための通知データを生成し（Ｓ６０６）、通信部１２から送信させる（Ｓ６０７）。スレーブ基地局２０は、マスタ基地局１０から送信された通知データを通信部２１で受信すると制御部２２に引渡す（Ｓ６２３）。次に、スレーブ基地局２０の制御部２２は、引渡された通知データの内容に応じて電源部２３を電源オフ状態に切替える（Ｓ６２４）。
【００２９】
ステップＳ６０７の処理において通知データを送信した場合と、ステップＳ６０３の処理においてリソースが使用されていると判定された場合（Ｓ６０３  Ｙｅｓ）と、ステップＳ６０５の処理において選定結果が結果２となった場合（Ｓ６０５  結果２）とのうちいずれかの処理が行われると、基地局使用状態監視部１０２は、状態管理テーブルのチェック時点に該当する項目を記録又は更新し、その状態管理テーブルに対応する集計テーブルを作成又は更新する（Ｓ６０８）。なお、このステップＳ６０８の処理がステップＳ６０７の処理の次に行われる処理である場合は、通知データの内容のとおり、稼動状態値を電源オフ状態に変化させた内容で状態管理テーブルが記録又は更新される。
【００３０】
そして、マスタ基地局１０は、ステップＳ６０１〜Ｓ６０８の処理を最大記録期間ＭＰ＝１日分繰り返して、ステップＳ５０２の処理を終了する（Ｓ６０９）。
【００３１】
以上説明したとおり、本実施形態によれば、マスタ基地局は、最新の４週間分の状態管理テーブルに基づいて曜日ごとに集計した集計テーブルを管理し、この集計テーブルの統計データに基づいてスレーブ基地局の運行制御を行うため、特定の曜日でリソース使用状態が変動する傾向を反映してスレーブ基地局の稼動状態の制御を行い、システム全体としての消費電力を効率的に低減することができる。
【００３２】
その際、チェック時点での時刻を含み監視周期の倍数である選定期間でのリソース使用状態及び装置の稼動状態をチェックするようにしたため、スレーブ基地局の電源部を頻繁にオフ／オンするおそれがなく、スレーブ基地局の電源オフ状態から電源オン状態への移行時に回線が不足するおそれを軽減することができる。
【００３３】
なお、上述した実施形態における通信装置の一部、例えば、制御部の機能をコンピュータで実現するようにしてもよい。この場合、その制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものである。また、「コンピュータ読み取り可能な記録媒体」とは、フレキシブルディスク、光磁気ディスク、光ディスク、メモリカード等の可搬型記録媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものを含んでもよい。また、上記のプログラムは、前述した機能の一部を実現するためのものであってもよく、さらに前述した機能をコンピュータシステムにすでに記録されているプログラムとの組み合わせにより実現するものであってもよい。
【００３４】
また、上述した実施形態では、基地局使用状態管理データベース１０１に予め格納されたパラメータについて、最大記録期間ＭＰが１日、管理期間ＢＴが１週間、集計総期間ＴＰが４週間である場合とし、約１ヶ月間の状態管理テーブルを管理しながら、「曜日」によって変動するリソース使用状態及び装置の稼動状態をチェックしてスレーブ基地局の運行制御を行う例について説明した。これ以外の好ましいパラメータの設定例として、最大記録期間ＭＰを１時間、管理期間ＢＴを２４時間、集計総期間ＴＰを７日間にすれば、１週間の状態管理テーブルを管理しながら、「時間帯」によって変動するリソース使用状態及び装置の稼動状態をチェックしてスレーブ基地局の運行制御を行うことができる。
【００３５】
以上、本発明の実施形態について詳述したが、具体的な構成は上述した実施形態に限られるものではなく、この発明の要旨を逸脱しない範囲の設計等も含まれる。
【符号の説明】
【００３６】
１  携帯電話基地局システム
１０  マスタ基地局
１１  スレーブ基地局制御部
１２，２１  通信部
２０  スレーブ基地局
２２  制御部
２３  電源部
１０１  基地局使用状態管理データベース
１０２  基地局使用状態監視部
１０３  基地局使用選定部
１０４  通知生成部
【図１】
2010178039.tif 000003
【図２】
2010178039.tif 000004
【図３】
2010178039.tif 000005
【図４】
2010178039.tif 000006
【図５】
2010178039.tif 000007
【図６】
2010178039.tif 000008